(57)【要約】  本実用新案は、ＤＶＤコンパクトディスク情報記憶の分野に関し、主にＤＶＤコンパクトディスクからの情報を読み出すための光学ヘッドクリーニング用に利用することができる。  ＤＶＤコンパクトディスクから情報を読み出すための光学ヘッドクリーニング用装置が、１つもしくはいくつかのクリーニング装置を備えるクリーニングコンパクトディスクと、前記ＤＶＤコンパクトディスクについての導入部の情報を含む内側のゼロトラックと、クリーニング装置の下に配置されるトラックと、クリーニング工程中にＤＶＤコンパクトディスクから情報を読み出すための光学ヘッドの動作を制御する記録済プログラムを含むトラックとを備え、前記クリーニング工程中にＤＶＤコンパクトディスクから情報を読み出すための光学ヘッドの動作を制御する記録済プログラムを含むトラックは、内部のゼロトラックおよびクリーニング装置の下に配置されるトラックとの間に配置される。  本発明の考案は、ビデオ（ＤＶＤ）コンパクトディスクから情報を読み出すために使用される光学ヘッドのクリーニングの能率の向上を可能にする。
0003142281.tif 000002
【実用新案登録請求の範囲】
【請求項１】
ＤＶＤコンパクトディスクから情報を読み出すための光学ヘッドクリーニング用装置であって、前記装置は、１つもしくはいくつかのクリーニング装置を備えるクリーニングコンパクトディスクと、前記ＤＶＤコンパクトディスクについての導入部の情報を含む内側のゼロトラックと、前記クリーニング装置の下に配置されるトラックと、クリーニング工程中にＤＶＤコンパクトディスクから情報を読み出すための光学ヘッドの動作を制御する記録済プログラムを含んでいるトラックとを備え、前記クリーニング工程中にＤＶＤコンパクトディスクから情報を読み出すための前記光学ヘッドの動作を制御する記録済プログラムを含む前記トラックが、前記内側のゼロトラックおよび前記クリーニング装置の下に配置される前記トラックとの間に配置されることを特徴とする装置。
【考案の詳細な説明】
【技術分野】
【０００１】
本実用新案は、ＤＶＤコンパクトディスク情報記憶の分野に関し、主にＤＶＤコンパクトディスクからの情報を読み出すための光学ヘッドのクリーニングに使用することができる。
【背景技術】
【０００２】
コンパクトディスクから情報を読み出すための光学ヘッドクリーニング用として周知の装置は、クリーニング処理を行う部分を備えたコンパクトディスクを備えており、前記コンパクトディスクは、ディスクの回転及び停止を制御するための情報を含む２つの制御トラックを備えており、前記トラックはディスクの中心に配置されている（特許文献１）。
【０００３】
前記装置の欠点は、その光学ヘッドのクリーニングの効率が低いこと、および機能的能力が不十分なことにある。
【０００４】
コンパクトディスクから情報を読み出すための光学ヘッドクリーニング用のもう１つの周知の装置は、５個所のエレメントの形で具体化されたクリーニング装置を備えたコンパクトディスクを含んでおり、それぞれのエレメントはひとかたまりの毛束の形を有するブラシとして具体化されており、前記エレメントはスパイラル状に配置されている。前記コンパクトディスクは、導入部の情報を有するトラックと、命令情報およびバックグラウンドミュージックを有する部分を備えている（特許文献２）。前記コンパクトディスクは、コンピュータのＣＤ−ＲＯＭドライブもしくはＣＤプレーヤーに挿入され、すぐに導入部の情報が読み取られる（ディスクのラベルおよびサービス情報）。次に、該ディスクを回転させるための装置が起動し、ディスク操作上の音声命令が再生される。その後、前記ディスクは、クリーニング装置を用いてレンズのクリーニングを施し、粉末状の汚れを除去し、所定時間の後に停止する。
【０００５】
前記の工学的解決法の欠点は、光学ヘッドのクリーニング工程を監視および制御する手段を備えておらず、また音響システムの試験および音響スピーカーが正確に接続されているかを確認することができないという点であり、さらにコンピュータのＣＤ−ＲＯＭドライブの光学ヘッドのクリーニング中に、マウスもしくはキーボードを利用してクリーニング工程を制御することができないという点である。
【０００６】
ビデオコンパクトディスク（ＤＶＤ）を含む様々な種類のコンパクトディスクから情報を読み出すための光学ヘッドクリーニング用のもう１つの周知の装置は、１つもしくはいくつかのクリーニング装置を備えたクリーニングコンパクトディスクと、前記ビデオコンパクトディスクについての導入部の情報を含む内側のゼロトラックと、クリーニング装置の下に配置されたトラックと、クリーニング工程中にビデオコンパクトディスクから情報を読み出すための光学ヘッドの動作を制御する記録済プログラムを含む追加トラックとを備えている（特許文献３）。
【０００７】
この装置は、本実用新案の原型として取り上げられ、オーディオやコンピュータのコンパクトディスクから情報を読み出すために使用される光学ヘッドのクリーニング中において、かなり効果的である。しかしながら、ビデオコンパクトディスク（ＤＶＤ）を対象とする光学ヘッドに対して十分なクリーニングレベルを提供していない。
【０００８】
これは、ビデオコンパクトディスクが中心からその周囲に向かって読み取られるという事実によって説明される。それゆえ、前記周知の装置が使用される時には、（通常テストの記録を含んでいる）クリーニング装置の下に配置されるトラックが最初に読み取られ、同時に光学ヘッドの動作を制御するための記録済プログラムを含むトラックが、その後初めて読み取られる。その結果として、クリーニング装置の下に配置されるトラックは、最低速度で読み取られ、同様に、光学ヘッドは同じ最低速度でクリーニング装置に接触し、そのためクリーニングの能率がかなり悪くなる。
【特許文献１】米国特許第５０８８０８３号明細書
【特許文献２】米国特許第５４９９２２８号明細書
【特許文献３】ロシア特許第３４７９６号明細書
【考案の開示】
【考案が解決しようとする課題】
【０００９】
本実用新案の目的は、ビデオ（ＤＶＤ）コンパクトディスクから情報を読み出すための光学ヘッドクリーニング用装置の能率を向上させる解決法を提供することである。
【課題を解決するための手段】
【００１０】
本実用新案によると、１つもしくはいくつかのクリーニング装置を備えるクリーニングコンパクトディスクと、前記ＤＶＤコンパクトディスクについての導入部の情報を含む内側のゼロトラックと、クリーニング装置の下に配置されるトラックと、クリーニング工程中にＤＶＤコンパクトディスクから情報を読み出すための光学ヘッドの動作を制御する記録済プログラムを含むトラックとを備える、ＤＶＤコンパクトディスクから情報を読み出すための光学ヘッドクリーニング用装置が提供され、前記クリーニング工程中にＤＶＤコンパクトディスクから情報を読み出すための光学ヘッドの動作を制御する記録済プログラムを含むトラックは、内側のゼロトラックおよびクリーニング装置の下に配置されるトラックとの間に配置される。
【００１１】
本出願人は、本実用新案と同一の工学的解決策に関するデータを含む情報源を発見していない。出願人の意見として、このことは、本実用新案が「新規性」（N）の基準を満たすと結論づけることができる。
【考案を実施するための最良の形態】
【００１２】
この特定の実施形態において、本発明の考案は、５インチのクリーニングコンパクトディスク１を備えている。前記ディスクは、ＤＶＤプレーヤーに挿入されるときに、ディスクの起動、回転、およびいくつかの追加機能を制御するための記録済情報を含んでいる。この特定の実施形態においては、コンパクトディスク１は１つのクリーニング装置２を備えている。コンパクトディスク１はいくつかのクリーニング装置を備えていてもよい。
【００１３】
内側のゼロトラック３（ＤＶＤ規格）は、ディスク（「ＤＶＤディスク」）の種類に関する情報および再生装置（ＤＶＤプレイヤー）用の暗号化されたシステム命令を含んでいる。
【００１４】
この特定の実施形態は、軟質合成繊維で作られた長円形のブラシの形状で具体化されている装置２の真下に配置されているトラック４を有している。前記トラック４は、記録済のビデオ・オーディオ・テストもしくはいわゆる「無音録音」を含むことができる。
【００１５】
トラック５は、クリーニング工程中にＤＶＤコンパクトディスクから情報を読み出すための光学ヘッドの動作を制御する記録済プログラムを含んでおり、トラック３と４の間に配置されている。
【００１６】
前記プログラムは、例えば遠隔制御装置を用いて、ユーザーがＤＶＤプレーヤーの光学ヘッドの動作を制御できるようにし、同様にクリーニング工程およびその質を監視できるようにしている。前記プログラムは、ＤＶＤコンパクトディスクのメインメニューとして記録されている。
【００１７】
本発明の考案は、以下の方法で作動する。
【００１８】
ディスク１がＤＶＤプレーヤーに挿入され、トラック３からの情報が自動的に読み取られると、ディスク１がＤＶＤコンパクトディスクとして認識される。それから光学ヘッドの動作を制御するための記録済プログラムを含むトラック５からの情報が読み取られ、ＤＶＤコンパクトディスクのメインメニューとして具体化される。このメニューは、テレビ画面やコンピュータのディスプレイ上に表示することができる。ユーザーは、遠隔制御装置を用いて必要な操作を選択できる。もしユーザーがクリーニング操作を選択すると、トラック４が読み取られ、汚れが光学ヘッドから除去される。オーディオ・ビデオ・テストは、同時に再生可能である。
【産業上の利用可能性】
【００１９】
周知の簡易的な産業設備および当業者に公知の構成的資材が、ＤＶＤコンパクトディスクから情報を読み出すための光学ヘッドをクリーニングするための本発明の考案の生産に使用され、本出願人の意見において、そのことは、本発明の考案が「産業上の利用可能性」（ＩＡ）の基準を満たすと結論づけることができる。
【図面の簡単な説明】
【００２０】
【図１】本考案の概観図であり、一例として本実用新案をさらに説明している。
【符号の説明】
【００２１】
１  コンパクトディスク
２  クリーニング装置
３  ゼロトラック
４、５  トラック
【図１】
0003142281.tif 000003